(57)【要約】【課題】  時計を保護し、簡単に時計及びバンドを着脱することができ、サイズの異なる時計及びバンドに対応可能であり、構造が簡単で装飾性が高い時計ケースの提供。【解決手段】  弾性材料より成る板体１の内部に時計収納空間２を形成し、時計収納空間２の上面に、時計１００の時刻表示部１０１が露出する上面開口部４を形成し、時計収納空間２の一側面中央部に、リューズ１０４が露出する側面開口部５を形成し、上面開口部４と側面開口部５とを連続させると共に、上面開口部４の直径を時計収納空間２の直径よりも小さくし、板体１の裏面に時計バンド挿通部３を一体に設けてある。【選択図】          図１
2007078495.tif 000002
【特許請求の範囲】
【請求項１】
弾性材料より成る板体の内部に時計収納空間を形成し、該時計収納空間の上面に、時計の時刻表示部が露出する上面開口部を形成し、前記時計収納空間の一側面中央部に、リューズが露出する側面開口部を形成し、前記上面開口部と側面開口部とを連続させると共に、前記上面開口部の直径を、前記時計収納空間の直径よりも小さくし、前記板体の裏面に時計バンド挿通部を設けたことを特徴とする時計ケース。
【請求項２】
前記上面開口部の周縁の肉厚を他部の肉厚よりも薄くした請求項１に記載の時計ケース。
【請求項３】
前記時計収納空間の前部両側及び後部両側に、時計の周面に突設されたバンド取付足が着脱可能に係合される挿入孔を、それぞれ前方及び後方へ向かって延びるよう形成した請求項１又は２に記載の時計ケース。
【発明の詳細な説明】
【技術分野】
【０００１】
本発明は、時計ケースに関する。
【背景技術】
【０００２】
従来、時計周面を被覆して保護すると共に、装飾性を高めるものとして、時計の上部を部分的に覆い、バンドを時計へ固定するスピンドルによって時計の側へ固定されるキャップが知られている(特許文献１参照)。
また、モジュールが組み込まれた内胴と、その外側に取付けられた装飾部材とから成り、装飾部材は内胴取り付け部と操作部材を保護するガード部を有し、装飾部材を内胴に被せ、内胴のバンド取り付け部材を内胴取り付け部に固定した時計ケースも公知である(特許文献２参照)。
【０００３】
しかし、これらのものは、時計の外形に合わせて形成されたケースを、時計の上方から被せているので、時計のサイズの違いに対応できず、多種類の時計に装着することは難しい。
また、時計とケース、及び、ケースとバンドを連結ピンで接合してあるので、着脱するのに特殊な工具を必要とするばかりか、着脱操作も面倒であり、バンドの太さの違いに対応できない。
【０００４】
【特許文献１】特開昭６３−２２９３８７号公報
【特許文献２】特開平１１−６４５４３号公報
【発明の開示】
【発明が解決しようとする課題】
【０００５】
本発明が解決しようとする課題は、時計を保護し、簡単に時計及びバンドを着脱することができ、しかも、サイズの異なる時計及びバンドに対応可能であり、構造が簡単で装飾性が高い時計ケースを提供することにある。
【課題を解決するための手段】
【０００６】
本発明の時計ケースは、弾性材料より成る板体の内部に時計収納空間を形成し、該時計収納空間の上面に、時計の時刻表示部が露出する上面開口部を形成し、前記時計収納空間の一側面中央部に、リューズが露出する側面開口部を形成し、前記上面開口部と側面開口部とを連続させると共に、上面開口部の直径を前記時計収納空間の直径よりも小さくし、前記板体の裏面に時計バンド挿通部を設けてある。
前記上面開口部の周縁の肉厚を他部の肉厚よりも薄くすると良い。
前記時計収納空間の前部両側及び後部両側に、時計の周面に突設したバンド取付足が着脱可能に係合される挿入孔を、それぞれ前方及び後方へ向かって延びるよう形成しても良い。
【発明の効果】
【０００７】
請求項１に係る発明によれば、時計の外面において、時刻表示部及びリューズを除いた部分が板体で被覆されるので、時計を保護できると共に、時刻を見やすく、リューズ操作も容易である。
また、付属の時計バンドが破損したり、紛失した時計であっても、時計収納空間にこの時計を収納し、時計バンド挿通部に別の時計バンドを通すことで、再利用できる。
さらに、時計バンド挿通部には、時計ケースを構成する弾性材料の色に対応して、種々の色及び形状の時計バンドを挿通することができるため、装飾性が高まる。
【０００８】
弾性素材より成り、上面開口部と側面開口部とを連続して形成してあるため、上面開口部及び側面開口部を押し広げて簡単に時計を時計収納空間へ出し入れすることができ、しかも、時計装着後には、上面開口部及び側面開口部が元の形状に戻って、時計の脱出を規制する。
また、時計ケース全体が一部材で形成されるので、構造が簡単で製造しやすく、部品を紛失する心配もない。
【０００９】
請求項２に係る発明によれば、上面開口部の周縁が変形しやすいので、上面開口部及びこれに連続する側面開口部を拡開しやすく、時計収納空間への時計の出し入れがいっそう容易となる。
請求項３に係る発明によれば、時計のバンド取付足を挿入孔へ係合することにより、時計が時計収納空間内で回転したり、時計収納空間から脱出するのを確実に防止できる。
【発明を実施するための最良の形態】
【００１０】
以下、本発明の実施例を図面に基づいて詳細に説明する。
本発明の時計ケースは、図１に示すように、シリコン樹脂、ポリオレフィン、弾性レジン等の弾性材料を素材とする板体１の内部に時計収納空間２を形成して成る。
板体１の大きさ（幅、前後方向長さ、厚み）は、収納される時計１００の外形よりもやや大きく形成されている。
また、図３に示すように、板体１の裏面の前後端部には、帯状の時計バンド挿通部３がそれぞれ幅方向に沿って架設される。さらに、板体１の裏面の前部及び後部には、滑り止め突起８が形成される。
【００１１】
時計収納空間２は、図２〜図４に示すように、平面視略円形で、その上面には上面開口部４が形成され、一側面の中央部には側面開口部５が形成され、下面中央部に下面開口部６が形成される。
上面開口部４の直径は、時計収納空間２の直径よりも小さく、且つ、時計１００の時刻表示部１０１の直径とほぼ等しく形成される。
また、上面開口部４の周縁の肉厚は、変形しやすいように、他の部分の肉厚よりも薄くなっており、上面開口部４と側面開口部５とは連続している。
【００１２】
図５に示すように、時計収納空間２の前部両側及び後部両側からは、時計１００の周面に突設されたツノ足と称するバンド取付足１０３を係合可能な挿入孔７が、それぞれ前方及び後方に向かって延びるよう形成されている。
なお、下面開口部６の直径は、時計１００の裏蓋の直径と同じ程度とする。また、板体１は、装飾性を高めるために、鮮やかな色彩に着色するのが望ましい。
この時計ケースは、板体１の外形に相当する金型と、時計収納空間２の形状に相当する中子を用いて、簡単に大量生産することができる。
【００１３】
時計１００をこの時計ケースへ収納するには、上面開口部４及び側面開口部５を押し広げ、時計１００を、リューズ１０４の設けられていない側を先にして、時計収納空間２内へ押し込み、バンド取付足１０３を挿入孔７へ差し込む。
そして、図１に示すように、時計１００の時刻表示部１０１を上面開口部４と合致させて露出させ、リューズ１０４を側面開口部５から露出させる。
さらに、板体１の裏面の時計バンド挿通部３に時計バンド２００を挿通する。
また、上面開口部４及び側面開口部５を広げ、バンド取付足１０３を挿入孔７から引き出せば、時計１００を時計ケースから取り出すことができる。
なお、時計収納空間２よりもわずかに大きい外形を有する時計１００を収納すると、時計ケースが時計１００に密着して、時計１００が安定して保持される。
【図面の簡単な説明】
【００１４】
【図１】本発明の実施例を示す時計ケースの時計及び時計バンドを装着した時の斜視図。
【図２】本発明の実施例を示す時計ケースの平面図。
【図３】本発明の実施例を示す時計ケースの裏面図。
【図４】本発明の実施例を示す時計ケースの側面図。
【図５】本発明の実施例を示す時計ケースの断面図。
【符号の説明】
【００１５】
１  板体
２  時計収納空間
３  時計バンド挿通部
４  上面開口部
５  側面開口部
６  下面開口部
７  挿入孔
８  滑り止め突起
１００  時計
１０１  時刻表示部
１０３  バンド取付足
１０４  リューズ
２００  時計バンド
【図１】
2007078495.tif 000003
【図２】
2007078495.tif 000004
【図３】
2007078495.tif 000005
【図４】
2007078495.tif 000006
【図５】
2007078495.tif 000007